(57)【特許請求の範囲】
【請求項１】
リング綴じ具に綴じ込まれるものであって、
各リングに対応する綴孔形成個所のうち、一の端部側に位置するリングに対応する綴孔形成個所に該リングのみを挿入することのできる綴孔を設けるとともに、４孔用のリング綴じ具に綴じる場合に利用される箇所に対応する綴孔形成個所に、単一のリングのみを挿入することができ、前記一の端部側に位置するリングに対応する綴孔形成個所に形成した綴孔より大径の綴孔を設け、それ以外の綴孔形成個所の一部に、挿入作業を行いやすくすべく複数のリングを同時に通過させることのできる共通の挿入空間を一又は複数個形成したことを特徴とする綴込体。
【請求項２】
一の端部側に位置するリングに隣接するリングに対し、この隣設するリングに対応する綴孔形成個所に、該リングに外接してこの綴込体が一の端部側に位置するリングを中心に回転することを禁止する位置決め部を設けていることを特徴とする請求項１記載の綴込体。
【請求項３】
前記隣設するリングに対応する綴孔形成個所に、該リングのみを挿入することのできる綴孔を設け、この綴孔を前記位置決め部としていることを特徴とする請求項２記載の綴込体。
【請求項４】
他の端部側に位置するリングに対応する綴孔形成個所に、該リングのみを挿入することのできる綴孔を設けていることを特徴とする請求項１、２又は３記載の綴込体。
【請求項５】
隣接する２本のリング或いは３本のリングに対し、これらのリングに対応する綴孔形成個所に、これらリングを同時に通過させることのできる共通の挿入空間である２本用挿入空間及び３本用挿入空間を設け、これらの挿入空間を交互に設けていることを特徴とする請求項１、２、３又は４記載の綴込体。
【請求項６】
共通の挿入空間が、各リングを挿入することのできる綴孔間を連続させることによって形成されたものであることを特徴とする請求項１、２、３、４又は５記載の綴込体。
【発明の詳細な説明】
【０００１】
【発明の属する技術分野】
本発明は、オフィス等で好適に利用されるファイル等の綴込体に関するものである。
【０００２】
【従来の技術】
この種の綴込体として、従来から、その一縁側に設けた複数の綴孔に、リング綴じ具のリングを挿入して綴じるようにしているものがある。現在、我が国で主に使用されている綴込体としては、２孔タイプ、４孔タイプ、多孔タイプのものがある。多孔タイプのものは、綴込体をリング綴じ具に綴じ込んだ場合に確実に綴じられるという利点があり、具体的には、Ａ４サイズの３０孔タイプのものや、Ｂ５サイズの２６孔タイプのものがある。
【０００３】
【発明が解決しようとする課題】
しかしながら、このような多孔タイプの綴込体では、２６本或いは３０本のリングの全てを綴孔に逐一挿入させて綴じる作業が必要になるため、綴じ作業が非常に手間取るものとなるという不具合や、綴孔が多数あるため、どの綴孔にどのリングを綴じるのか判断しにくい等の不具合があった。特に、目の悪い人や、細かい作業が苦手な人や、高齢者には、前述した理由で、綴じ作業が行いにくいものであった。また、多数の綴孔の全てがリングを比較的緊密に挿入し得るような径であるため、使用時、綴込体をリングに対して滑らせて捲る際に、リングと綴孔とが引っ掛かりやすく捲りにくいという不具合もあった。
【０００４】
【課題を解決するための手段】
上記の問題点を解決するために、本発明は、各リングに対応する綴孔形成個所のうち、一の端部側に位置するリングに対応する綴孔形成個所にリングを比較的緊密に挿入することのできる綴孔を設けて、この綴孔により綴込体のリング綴じ具に対する位置決めを行うとともに、それ以外の綴孔形成個所の一部に、複数のリングを同時に通過させることのできる共通の挿入空間を一又は複数個形成して、綴込体を綴じる際の利便性を図るようにしている。
【０００５】
【発明の実施の形態】
すなわち、本発明は、リング綴じ具に綴じ込まれるものであって、各リングに対応する綴孔形成個所のうち、一の端部側に位置するリングに対応する綴孔形成個所に該リングのみを挿入することのできる綴孔を設けるとともに、４孔用のリング綴じ具に綴じる場合に利用される箇所に対応する綴孔形成個所に、単一のリングのみを挿入することができ、前記一の端部側に位置するリングに対応する綴孔形成個所に形成した綴孔より大径の綴孔を設け、それ以外の綴孔形成個所の一部に、挿入作業を行いやすくすべく複数のリングを同時に通過させることのできる共通の挿入空間を一又は複数個形成したことを特徴とする綴込体に関するものである。
【０００６】
このような構成のものであると、先ず、一の端部側に位置するリングを前記綴孔に挿入して、綴込体のリング綴じ具に対する位置決めを行い、しかる後、複数のリングを同時に共通の挿入空間に挿入するようにすれば、綴込体の位置決めは前記綴孔で確実に行いながら、複数のリングを同時に共通の挿入空間に挿入することができるので、挿入作業の利便性を図ることができる。すなわち、従来のように多数のリングを対応する綴孔に逐一挿入する必要がなく、一度に複数のリングを挿入することができるため、挿入作業が非常に行い易いものとなる。また、従来のものに比べて、リングの数に対応する綴孔或いは挿入空間の数量が減って、どの綴孔或いは挿入空間にどのリングを綴じるのかが明確なものとなり、綴孔や挿入空間へのリングの挿入間違いも有効に防止することができる。したがって、一般の利用者は勿論、特に、目の悪い人や、細かい作業が苦手な人や、高齢者にも、綴じ作業が非常に行いやすい綴込体を提供することができる。さらに、上記構成のものであると、綴込体を捲る際にも、リングが引っ掛かかりにくく、捲り作業が行い易いものである。
【０００７】
綴込体の綴孔配列方向への位置決めを確実に行い、綴じ作業の円滑化を図るには、一の端部側に位置するリングに隣接するリングに対し、この隣設するリングに対応する綴孔形成個所に、該リングに外接してこの綴込体が一の端部側に位置するリングを中心に回転することを禁止する位置決め部を設けていることが望ましい。
【０００８】
その場合の好適な実施の形態としては、前記隣設するリングに対応する綴孔形成個所に、該リングのみを挿入することのできる綴孔を設け、この綴孔を前記位置決め部としているものが挙げられる。
【０００９】
綴込体の良好な綴じ状態を確保し得るには、他の端部側に位置するリングに対応する綴孔形成個所に、該リングのみを挿入することのできる綴孔を設けていることが望ましい。
【００１０】
綴孔を設けた箇所の強度を一定に保ちながら、挿入作業の容易性と綴込体の確実な保持性を有効に両立させるには、隣接する２本のリング或いは３本のリングに対し、これらのリングに対応する綴孔形成個所に、これらリングを同時に通過させることのできる共通の挿入空間である２本用挿入空間及び３本用挿入空間を設け、これらの挿入空間を交互に設けていることが望ましい。
【００１１】
挿入空間の好適な実施の形態としては、共通の挿入空間が、各リングを挿入することのできる綴孔間を連続させることによって形成されたものが挙げられる。
【００１２】
【実施例】
以下、本発明の一実施例について図面を参照して説明する。
【００１３】
本実施例では、本発明の構成を複数のリング１１を有するリング綴じ具１に綴じられる綴込体であるクリアファイル２に適用した場合について説明する。
【００１４】
リング綴じ具１は、図１及び図２に示すように、レバー１２を操作することにより、リング１１が開閉して前記クリアファイル２を綴じたり取り出すことができる３０孔用の既知のもので、長手方向に沿って同ピッチで配列してなる３０本のリング１１を具備している。そして、このリング綴じ具１は、表裏一対の開閉表紙ｆ１、ｆ２と、これら開閉表紙ｆ１、ｆ２間に一体に設けた背表紙ｆ３とから構成されるファイル体Ｆに取り付けられている。
【００１５】
クリアファイル２は、図１〜図３に示すように、無色透明の合成樹脂シートを折り曲げておもて表紙２１とうら表紙２２とを形成し、これらおもて表紙２１とうら表紙２２の下縁部と、反折曲側である一側縁部を熱溶着等により接合しているものである。そして、上縁部側から前記おもて表紙２１とうら表紙２２間に用紙類等を挿入して両表紙２１、２２間に収納し得るように構成したものである。このクリアファイル２は、一側縁部側に複数の綴孔３を有する綴孔形成帯２３を有している。この綴孔形成帯２３は、おもて表紙２１とうら表紙２２の一側縁部側に一体に形成されているものであり、両表紙２１、２２間に比較的厚手の合成樹脂を挟み込んで、その一側縁部を熱溶着等により接合することにより構成されている。なお、このクリアファイル２は、その上縁部側に、内部に収納した用紙類等の取り出し易さを図るための指挿入用の部分円弧状の切欠２４を有している。
【００１６】
このような構成のものにおいて、本実施例では、前記綴孔形成帯２３において、各リング１１に対応する綴孔形成個所のうち、上下端部側に位置するリングたる第１リング１１Ａに対応する綴孔形成個所に該リング１１Ａを比較的緊密に挿入することのできる綴孔たる第１の綴孔３Ａを設け、それ以外の綴孔形成個所の一部に、複数のリング１１を同時に通過させることのできる共通の挿入空間を複数個形成するようにしている。本実施例では、この挿入空間として、隣接する２本のリング１１或いは３本のリング１１に対し、これらのリング１１に対応する綴孔形成個所に、これら複数本のリング１１を同時に通過させることのできる共通の挿入空間である２本用挿入空間Ｓ１及び３本用挿入空間Ｓ２を設けている。
【００１７】
以下、各部の構成について具体的に説明する。
【００１８】
第１の綴孔３Ａは、図２及び図３に示すように、前記リング綴じ具１の上下の第１リング１１Ａに対応する綴孔形成帯２３の上下端部に設けてなるもので、前記第１リング１１Ａを比較的緊密に挿入することのできる径を有する丸孔状のものである。そして、前記上下の第１リング１１Ａに隣接する上下の第２リング１１Ｂに対し、これら上下の第２リング１１Ｂに対応する綴孔形成個所に第２の綴孔３Ｂを設けている。
【００１９】
第２の綴孔３Ｂは、上下の第２リング１１Ｂを比較的緊密に挿入することのできる径を有する丸孔状のもので、前記第２リング１１Ｂに外接して前記クリアファイル２が第１リング１１Ａを中心に回転することを禁止する位置決め部となるものである。そして、前記上下の第２リング１１Ｂに隣接する上下の第３リング１１Ｃを比較的余裕を持って挿入することのできる上下の第３の綴孔３Ｃを、前記上下の第３リング１１Ｃに対応する綴孔形成個所に設けている。さらに、前記上下の第３リング１１Ｃに順次隣接する上下の第４リング１１Ｄ及び第５リング１１Ｅに対し、これら両リング１１Ｄ、１１Ｅに対応する綴孔形成個所に、両リング１１Ｄ、１１Ｅを同時に通過させることのできる共通の挿入空間である第４の綴孔３Ｄを設けている。
【００２０】
第４の綴孔３Ｄは、２本のリングを同時に通過させることのできる２本用挿入空間Ｓ１であり、上下の第４、第５のリング１１Ｄ、１１Ｅを比較的緊密に挿入することのできる綴孔間を連続させることによって形成された長孔状のものである。そして、前記上下の第５リング１１Ｅに順次隣接する上下の第６、第７、第８リング１１Ｆ、１１Ｇ、１１Ｈに対し、これらリング１１Ｆ、１１Ｇ、１１Ｈに対応する綴孔形成個所に、これらリング１１Ｆ、１１Ｇ、１１Ｈを同時に通過させることのできる共通の挿入空間である上下の第５の綴孔３Ｅを設けている。
【００２１】
第５の綴孔３Ｅは、３本のリングを同時に通過させることのできる３本用挿入空間Ｓ２であり、前記上下の第６、第７、第８リング１１Ｆ、１１Ｇ、１１Ｈを３本まとめて比較的緊密に挿入することのできる綴孔間を連続させることによって形成された長孔状のものである。
【００２２】
同様にして、前記上下の第８リング１１Ｈに順次隣接する上下の第９、第１０リング１１I、１１Ｊに対し、これら両リング１１I、１１Ｊに対応する綴孔形成個所に、これら両リング１１I、１１Ｊを同時に通過させることのできる共通の挿入空間である２本用挿入空間Ｓ１である上下の第６の綴孔３Ｆを設けている。そして、前記上下の第１０リング１１Ｊに隣接する上下の第１１リング１１Ｋに対し、この上下の第１１リング１１Ｋを比較的余裕を持って挿入することのできる上下の第７の綴孔３Ｇを綴孔形成個所に設けている。
【００２３】
そして、この上下の第１１リング１１Ｋに順次隣接する上下の第１２、第１３、第１４リング１１Ｌ、１１Ｍ、１１Ｎに対し、これら３本のリング１１Ｌ、１１Ｍ、１１Ｎに対応する綴孔形成個所に、これら３本のリング１１Ｌ、１１Ｍ、１１Ｎを同時に通過させることのできる共通の挿入空間である上下の第８の綴孔３Ｈを設けている。この第８の綴孔３Ｈは、３本のリングを同時に通過させることのできる３本用挿入空間Ｓ２であり、前記第１２、第１３、第１４リング１１Ｌ、１１Ｍ、１１Ｎを比較的緊密に挿入することのできる綴孔間を連続させることによって形成された長孔状のものである。
【００２４】
また、前記第１４リング１１Ｎに隣接する上下一対の第１５リング１１Ｏに対し、これら上下両リング１１Ｏに対応する綴孔形成個所に、これら上下両リング１１Ｏを同時に通過させることのできる共通の挿入空間である第９の綴孔３Iを設けている。
【００２５】
第９の綴孔３Ｉは、２本のリングを同時に通過させることのできる２本用挿入空間Ｓ１であり、前記上下一対の第１５リング１１Ｏを比較的緊密に挿入することのできる綴孔間を連続させることによって形成された長孔状のものである。
【００２６】
なお、前記第１、第２の綴孔３Ａ、３Ｂの離間ピッチは、リング１１の離間ピッチと略等しくなるように設定してある。また、前述したように第４、第６、第９の綴孔３Ｄ、３Ｆ、３Ｉは、２本のリングを同時に通過させることのできる２本用挿入空間Ｓ１であり、第５、第８の綴孔３Ｅ、３Ｈは、３本のリングを同時に通過させることのできる３本用挿入空間Ｓ２である。そして、これらの２本用挿入空間Ｓ１と３本用挿入空間Ｓ２は、１本用の綴孔である第７の綴孔３Ｇを間に挟んでいるものの、基本的に交互に配置されている。さらに、これら第１、第２、第４、第５、第６、第８、第９の綴孔３Ａ、３Ｂ、３Ｄ、３Ｅ、３Ｆ、３Ｈ、３Ｉは、その中心が略同一線上に位置するように設定してある。一方、前記上下の第３、第７の綴孔３Ｃ、３Ｇは、前記第１、第２の綴孔３Ａ、３Ｂよりも若干大径となるように直径を設定してあるとともに、その中心が、前記第１、第２の綴孔３Ａ、３Ｂの中心よりも若干内方に位置するように設定してある。そして、これら第３、第７の綴孔３Ｃ、３Ｇは、同ピッチで前記綴孔形成帯２３に設けてあり、前記クリアファイル２を図５に示すような４孔用のリング綴じ具１０１に綴じる場合に利用されるものである。また、図示していないが、２孔用のリング綴じ具に綴じる場合には、上下の第７の綴孔３Ｇが利用される。このように、本実施例のクリアファイル２は、３０孔タイプのリング綴じ具１だけでなく、２孔タイプ、４孔タイプのリング綴じ具にも利用可能なものである。
【００２７】
次に、このクリアファイル２をリング綴じ具１に綴じる場合の手順について説明する。
【００２８】
先ず、図４に示すように、上下の第１リング１１Ａのうちの一方を前記第１の綴孔３Ａに挿入するとともに前記第１リング１１Ａに隣接する第２リング１１Ｂを第２の綴孔３Ｂに挿入して、クリアファイル２のリング綴じ具１に対する位置決めを行う。しかる後、その他の複数のリング１１を２本或いは３本づつ同時に共通の２本用挿入空間Ｓ１或いは３本用挿入空間Ｓ２に挿入し、最後に他方の第１、第２リング１１Ａ、１１Ｂを第１、第２の綴孔３Ａ、３Ｂに挿入する。
【００２９】
このような構成のものであると、クリアファイル２のリング綴じ具１に対する位置決めは前記第１、第２の綴孔３Ａ、３Ｂで確実に行いながら、その他の複数のリング１１を同時に共通の挿入空間に挿入することができるので、挿入作業の利便性を図ることができる。すなわち、従来のように多数のリングを対応する綴孔に逐一挿入する必要がなく、一度に複数のリング１１を挿入することができるため、挿入作業が非常に円滑なものとなる。また、従来のものに比べて、リング１１の数に対応する綴孔３の数量が減って、どの綴孔３にどのリング１１を綴じるのかが明確なものとなり、綴孔３へのリング１１の挿入間違いも有効に防止することができる。したがって、一般の利用者は勿論、特に目の悪い人や、細かい作業が苦手な人や、高齢者にも、綴じ作業が非常に行いやすいクリアファイル２を提供することができる。さらに、上記構成のものであると、全てのリング１１と綴孔３が緊密に近づきあっておらず、特に、２本用挿入空間Ｓ１と３本用挿入空間Ｓ２では、リング１１の外縁側のみが綴孔３と外接することになるので、クリアファイル２を捲る際にも、リング１１と綴孔３が引っ掛かかりにくく、捲り作業が行い易いものとなる。
【００３０】
第１リング１１Ａに隣接する第２リング１１Ｂに対し、この第２リング１１Ｂに対応する綴孔形成個所に、該リング１１Ｂに外接して前記クリアファイル２が第１リング１１Ａを中心に回転することを禁止する位置決め部を設け、この位置決め部を前記第２リング１１Ｂに対応する綴孔形成個所に、該リング１１Ｂを比較的緊密に挿入することのできる第２の綴孔３Ｂを設けて構成しているので、綴じ作業時に、第１リング１１Ａだけでは、クリアファイル２の綴孔配列方向への位置決めができないが、この位置決め部によって、クリアファイル２の綴孔配列方向の位置決めを確実に行うことができ、綴じ作業の円滑化を図ることが可能となる。
【００３１】
上下端部側に位置する両第１リング１１Ａに対応する綴孔形成個所に上下の第１リング１１Ａを比較的緊密に挿入することのできる上下の第１の綴孔３Ａを設けているので、クリアファイル２の上下両端部側でリング綴じ具１に対するクリアファイル２の位置決めを確実に行うことができ、クリアファイル２の良好な綴じ状態を確保することが可能となる。
【００３２】
隣接する２本のリング１１或いは３本のリング１１に対し、これらのリング１１に対応する綴孔形成個所に、これらリング１１を同時に通過させることのできる共通の挿入空間である２本用挿入空間Ｓ１及び３本用挿入空間Ｓ２を設け、これらの挿入空間Ｓ１、Ｓ２を交互に設けているので、綴孔３を設けた箇所の強度を一定に保ちながら、挿入作業の容易性と綴込体の確実な保持性を有効に両立させることが可能となる。
【００３３】
共通の挿入空間Ｓ１、Ｓ２が、各リング１１を比較的緊密に挿入することのできる綴孔間を連続させることによって形成されたものであるので、加工の容易性を図り得るとともに、リング１１が挿入空間Ｓ１、Ｓ２を形成する綴孔３の縁部に外接するので、クリアファイル２の良好な綴じ状態を確保することができる上、クリアファイル２を捲る際にも、リング１１にガイドさせて滑らせることができるため、捲り易さを図ることが可能となる。
【００３４】
なお、本発明における構成は、以上説明したものに限定されないのは勿論である。例えば、綴込体は、上述したようなクリアファイルに限定されず、紙製のファイル用紙等であってもよいのは、勿論である。また、共通の挿入空間も孔に限定されず、上下端部に設けた綴孔間に形成した切欠等であってもよいのは勿論である。さらに、端部側に位置するリングは、本実施例のような１本に限定されず、複数本のリングであってもよい。また、共通の挿入空間は、本実施例のように、複数のリングに縦方向及び横方向に比較的緊密に当たる大きさのものに限定されず、何れか一方側が比較的緊密に当たるものであってもよい。
【００３５】
その他の構成も本発明の趣旨を逸脱しない範囲で種々変形が可能である。
【００３６】
【発明の効果】
本発明は、以上説明したような構成で実施され以下に記載されるような効果を奏する。
【００３７】
すなわち、本発明は、一の端部側に位置するリングに対応する綴孔形成個所に該リングのみを挿入することのできる綴孔を設け、４孔用のリング綴じ具に綴じる場合に利用される箇所に対応する綴孔形成個所に、単一のリングのみを挿入することができ、前記一の端部側に位置するリングに対応する綴孔形成個所に形成した綴孔より大径の綴孔を設け、それ以外の綴孔形成個所の一部に、挿入作業を行いやすくすべく複数のリングを同時に通過させることのできる共通の挿入空間を一又は複数個形成しているので、綴込体の位置決めは前記綴孔で確実に行いながら、複数のリングを同時に共通の挿入空間に挿入することができ、挿入作業が非常に行い易いものとなる上、従来のものに比べて、綴孔や挿入空間へのリングの挿入間違いも有効に防止することができる。したがって、一般の利用者は勿論、特に、目の悪い人や、細かい作業が苦手な人や、高齢者にも、綴じ作業が非常に行いやすいファイルを提供することができる。
【００３８】
一の端部側に位置するリングに隣接するリングに対し、この隣設するリングに対応する綴孔形成個所に、該リングに外接してこの綴込体が一の端部側に位置するリングを中心に回転することを禁止する位置決め部を設けているならば、綴じ作業時に、一の端部側に位置するリングが１本の場合には、このリングだけでは、綴込体の綴孔配列方向への位置決めができないが、この位置決め部によって、綴込体の綴孔配列方向の位置決めを確実に行うことができ、綴じ作業の円滑化を図ることが可能となる。
【００３９】
前記隣設するリングに対応する綴孔形成個所に、該リングのみを挿入することのできる綴孔を設け、この綴孔を前記位置決め部としているならば、綴込体の綴孔配列方向への位置決めを確実に行う構成を加工の容易性を図りながら実現することが可能となる。
【００４０】
他の端部側に位置するリングに対応する綴孔形成個所に、該リングのみを挿入することのできる綴孔を設けているならば、綴込体の両端部側でリング綴じ具に対する綴込体の位置決めを確実に行うことができ、綴込体の良好な綴じ状態を確保することが可能となる。
【００４１】
隣接する２本のリング或いは３本のリングに対し、これらのリングに対応する綴孔形成個所に、これらリングを同時に通過させることのできる共通の挿入空間である２本用挿入空間及び３本用挿入空間を設け、これらの挿入空間を交互に設けているならば、綴孔を設けた箇所の強度を一定に保ちながら、挿入作業の容易性と綴込体の確実な保持性を有効に両立させることが可能となる。
【００４２】
共通の挿入空間が、各リングを挿入することのできる綴孔間を連続させることによって形成されたものであるならば、加工の容易性を図り得るとともに、リングが挿入空間を形成する綴孔の縁部に外接するので、綴込体の良好な綴じ状態を確保することができる上、綴込体をリングに対して捲る際にも、リングにガイドさせて捲ることができるため、捲り易さを図ることが可能となる。
【図面の簡単な説明】
【図１】本発明の一実施例を示す全体斜視図。
【図２】同要部を示す斜視図。
【図３】同クリアファイルを示す斜視図。
【図４】同作用を説明するための全体斜視図。
【図５】同他の使用態様を示す全体斜視図。
【符号の説明】
１…リング綴じ具
１１…リング
１１Ａ…リング（第１リング）
１１Ｂ…リング（第２リング）
２…綴込体（クリアファイル）
３…綴孔
３Ａ…綴孔（第１の綴孔）
３Ｂ…綴孔（第２の綴孔）
Ｓ１…２本用挿入空間
Ｓ２…３本用挿入空間
【図１】
0003752553.tif 000002
【図２】
0003752553.tif 000003
【図３】
0003752553.tif 000004
【図４】
0003752553.tif 000005
【図５】
0003752553.tif 000006